(57)【要約】【課題】パネルの高さ寸法の調整を容易に行い得るとともに、枠体の連結部分に十分な強度を確保し得る間仕切りパネルを提供する。【解決手段】パネルを構成する枠体を、形材で形成される縦枠と横枠とを連結して構成する間仕切りパネルにおいて、縦枠７及び横枠８より剛性の高い金属材で連結部材９を形成し、該連結部材９は縦片１０の上下両端から平行に延設される上部片１１及び下部片１２とでコ字状に形成し、縦片１０を縦枠７に挿通可能とし、上部片１１及び下部片１２を横枠８に挿通可能とし、縦片１０を縦枠７に固定し、下部片１２を横枠８に固定した。【選択図】        図２
2004232410.tif 000002
【特許請求の範囲】
【請求項１】
パネルを構成する枠体を、形材で形成される縦枠と横枠とを連結して構成する間仕切りパネルにおいて、
前記縦枠及び横枠より剛性の高い金属材で連結部材を形成し、前記連結部材は、縦片の上下両端から平行に延設される上部片及び下部片とでコ字状に形成し、前記縦片を前記縦枠に挿通可能とし、前記上部片及び下部片を前記横枠に挿通可能とし、前記縦片を前記縦枠に固定し、前記下部片を横枠に固定したことを特徴とする間仕切りパネル。
【請求項２】
前記縦片に螺入した尖り先ネジの先端を前記縦枠に圧接することにより、その反作用で前記縦片を前記縦枠に圧接し、前記下部片を前記横枠にネジで固定したことを特徴とする請求項１記載の間仕切りパネル。
【請求項３】
前記縦枠の端部にキャップを取着し、該キャップに設けた位置決め部に前記連結部材を当接させて、該連結部材の取付高さを位置決めしたことを特徴とする請求項１又は２記載の間仕切りパネル。
【請求項４】
前記下部片を上部片より長く形成したことを特徴とする請求項１乃至３のいずれかに記載の間仕切りパネル。
【発明の詳細な説明】
【０００１】
【発明の属する技術分野】
この発明は、押し出し形材で形成される縦枠と横枠を四角枠状に組み立てて構成する間仕切りパネルに関するものである。
【０００２】
【従来の技術】
従来、室内空間を適宜に区画する間仕切りパネルの一種類として、各パネルを構成する枠体が、押し出し形材で構成される縦枠及び横枠で四角枠状に構成され、その縦枠及び横枠間にパネル材が支持されたものがある。
【０００３】
このようなパネルでは、縦枠に取付孔を形成し、取付孔から横枠のビス穴にタッピングネジを螺入することにより、縦枠と横枠とが連結される。
このような構成により、間仕切りパネルの設置現場でパネルの高さ寸法を調節する場合には、縦枠を一部切断し、取付孔を再度形成し、その取付孔で横枠を連結している。
【０００４】
特許文献１には、縦枠にブロックを嵌合し、そのブロックを介して縦枠に横枠を連結する構成が開示されている。
【０００５】
【特許文献１】
特開平１０−２３８２２６
【０００６】
【発明が解決しようとする課題】
縦枠の取付孔と、横枠のビス穴とで縦枠と横枠とを連結する構成では、縦枠の長さを調整する際に、取付孔をあらためて形成する作業が必要となるため、パネルの高さ調整作業が煩雑となる。
【０００７】
特許文献１に開示された構成では、ブロックに縦枠及び横枠を嵌合するのみであるので、間仕切りパネルの枠体を形成する構成としては、強度が不足する。
この発明の目的は、パネルの高さ寸法の調整を容易に行い得るとともに、枠体の連結部分に十分な強度を確保し得る間仕切りパネルを提供することにある。
【０００８】
【課題を解決するための手段】
請求項１では、パネルを構成する枠体を、形材で形成される縦枠と横枠とを連結して構成する間仕切りパネルにおいて、前記縦枠及び横枠より剛性の高い金属材で連結部材を形成し、前記連結部材は、縦片の上下両端から平行に延設される上部片及び下部片とでコ字状に形成し、前記縦片を前記縦枠に挿通可能とし、前記上部片及び下部片を前記横枠に挿通可能とし、前記縦片を前記縦枠に固定し、前記下部片を横枠に固定した。
【０００９】
請求項２では、前記縦片に螺入した尖り先ネジの先端を前記縦枠に圧接することにより、その反作用で前記縦片を前記縦枠に圧接し、前記下部片を前記横枠にネジで固定した。
【００１０】
請求項３では、前記縦枠の端部にキャップを取着し、該キャップに設けた位置決め部に前記連結部材を当接させて、該連結部材の取付高さを位置決めした。
請求項４では、前記下部片を上部片より長く形成した。
【００１１】
【発明の実施の形態】
以下、この発明を具体化した一実施の形態を図面に従って説明する。図１に示す間仕切りパネルは、パネル１ａ，１ｂが天井面に設けられる上部レール２と、床面に設けられる下部レール３に沿って移動可能に支持される。
【００１２】
すなわち、パネル１ａ，１ｂは、その上縁部の幅方向中央部が上部ランナー４を介して上部レール２に支持され、下縁部の幅方向中央部が下部ランナー５を介して下部レール３に支持されている。
【００１３】
前記パネル１ａ，１ｂは、蝶番部６を介して回動可能に連結されている。従って、パネル１ａ，１ｂを互いに回動させると、同パネル１ａ，１ｂを上部レール２の一側に畳み込み可能となっている。
【００１４】
前記パネル１ａ，１ｂは、アルミ押し出し形材で形成される縦枠７と横枠８が四角枠状に連結されて枠体が構成され、その枠体間にパネル材が支持されている。前記縦枠７の下端と横枠８との連結部分の構成を以下に説明する。
【００１５】
図２に示すように、前記縦枠７と横枠８は、連結部材９を介して連結される。連結部材９は縦枠７及び横枠８より剛性の高い金属材でほぼコ字状に形成される。
【００１６】
すなわち、図５に示すように、連結部材９は縦片１０の上下両端から上部片１１及び下部片１２が平行に、かつ縦片１０に対し直角に延設されている。前記下部片１２は、上部片１１より長く形成される。
【００１７】
前記上部片１１及び下部片１２の基端部両側には、切り欠き部１３がそれぞれ設けられる。そして、図６に示すように、連結部材９はその切り欠き部１３に縦枠７のリブ７ａを挿通するようにして、縦枠７の端部から縦片１０が挿通されている。
【００１８】
前記縦枠７の下端には、下方からキャップ１４が嵌着され、下方からキャップ１４の取付孔１５に螺入されるタッピングネジ１６を、縦枠７のビス穴１７に螺入することにより、キャップ１４が縦枠７の下端に取着される。
【００１９】
前記キャップ１４の端部には、位置決め部１８が上方へ突出されている。そして、縦枠７に挿通されている連結部材９を位置決め部１８に当接する位置まで下降させれば、連結部材９を縦枠７の下端から位置決め部１８で設定される一定距離を隔てた位置に保持可能となる。
【００２０】
前記連結部材９の縦片１０には、上下方向に２つのネジ孔１９が形成されている。前記ネジ孔１９に尖り先ネジ２０がそれぞれ螺入され、その尖り先ネジ２０の先端が縦枠７に当接している。そして、尖り先ネジ２０の先端が縦枠７に食い込むまで螺入され、その反作用により連結部材９の縦片１０が縦枠７のリブ７ａに圧接されて固定されている。
【００２１】
前記横枠８には、上部横辺２１と下部横辺２２が形成され、上部横辺２１及び下部横辺２２の下部にはそれぞれリブ２３，２４が形成されている。そして、前記連結部材９の下部片１２を下部横辺２２とリブ２４との間に挿通すると、連結部材９の上部片１１が上部横辺２１とリブ２３との間に挿通されるようになっている。
【００２２】
前記横枠８の下部横辺２２には、２つの取付孔２５が形成される。前記連結部材９の下部片１２には、その下部片１２を下部横辺２２とリブ２４との間に挿入した状態で前記取付孔２５に対応する位置に、挿通孔２６が形成されている。
【００２３】
そして、横枠８の下方から挿通孔２６に挿通したタッピングネジ２７が、取付孔２５に螺入されて、横枠８が連結部材９に固定されている。
上記のように構成された間仕切りパネルにおいて、縦枠７の下端部に横枠８を連結する場合には、図３に示すように、まず連結部材９の縦片１０を縦枠７に挿通する。連結部材９のネジ孔１９には尖り先ネジ２０を僅かに螺入しておく。
【００２４】
次いで、縦枠７の下端にキャップ１４を嵌合し、タッピングネジ１６を螺入して固定する。そして、連結部材９を下降させてキャップ１４の位置決め部１８に当接させる。
【００２５】
次いで、尖り先ネジ２０をその先端が縦枠７に食い込むまで螺入すると、図４に示すように、連結部材９が縦枠７に固定される。
次いで、連結部材９の上部片１１及び下部片１２を横枠８に挿入し、タッピングネジ２７を挿通孔２６から取付孔２５に螺入すると、図２に示すように、横枠８が連結部材９に固定され、縦枠７と横枠８が連結部材９を介して連結される。
【００２６】
このとき、キャップ１４の位置決め部１８により、連結部材９が上下方向に位置決めされ、その連結部材９に横枠８が固定されると、縦枠７と横枠８の下縁が一致する状態で連結される。
【００２７】
上記のように構成された間仕切りパネルでは、次に示す作用効果を得ることができる。
（１）剛性の高い連結部材９を尖り先ネジ２０で縦枠７に固定し、その連結部材９に横枠８をタッピングネジ２７で固定するので、縦枠７と横枠８との連結強度を十分に確保することができる。また、尖り先ネジ２０により、その尖り先ネジ２０を締め込むとき、連結部材９と縦枠７との相対移動を防止することができる。
（２）縦枠７に連結部材９を固定し、次いで連結部材９に横枠８を固定するので、縦枠７と横枠８とを容易に連結固定することができる。
（３）連結部材９の取付位置は、キャップ１４の位置決め部１８により、縦枠７の下端から常に一定の距離に取付けることができる。従って、縦枠７の下端部を切断してその長さを調節した場合にも、縦枠７の下端に対する横枠８の取付高さを常に一定とすることができる。
（４）縦枠７に取付孔を形成する必要はない。従って、縦枠７の長さを調節した場合にも、縦枠７と横枠８との連結を容易に行うことができる。
（５）連結部材９の下部片１２は、上部片１１より長くしたので、連結部材９と横枠８との連結強度を向上させることができる。
（６）連結部材９の下部片１２は、上部片１１より長くしたので、下部片１２及び上部片１１を横枠８に挿通するとき、まず下部片１２を挿通すれば、それにともなって上部片１１を容易に挿通することができる。
【００２８】
上記実施の形態は、次に示すように変更することもできる。
・上記のような連結部材及びキャップを使用して、縦枠の上端に横枠を連結してもよい。
【００２９】
【発明の効果】
以上詳述したように、この発明はパネルの高さ寸法の調整を容易に行い得るとともに、枠体の連結部分に十分な強度を確保し得る間仕切りパネルを提供することができる。
【図面の簡単な説明】
【図１】間仕切りパネルを示す正面図である。
【図２】縦枠と横枠の連結部を示す断面図である。
【図３】縦枠と横枠の連結操作を示す断面図である。
【図４】縦枠と横枠の連結操作を示す断面図である。
【図５】横枠と連結部材を示す分解斜視図である。
【図６】縦枠に取着した連結部材を示す平面図である。
【符号の説明】
１ａ，１ｂ      パネル
７          縦枠
８          横枠
９          連結部材
【図１】
2004232410.tif 000003
【図２】
2004232410.tif 000004
【図３】
2004232410.tif 000005
【図４】
2004232410.tif 000006
【図５】
2004232410.tif 000007
【図６】
2004232410.tif 000008